(57)【要約】【課題】コイン受け皿の内部に貯留されたコインの取り忘れを防止することができる遊技機を提供すること。【解決手段】遊技機１には、コイン払出口８から払い出されたコインを貯留するコイン受け皿４１がコイン受け皿取付板４２を介して前面扉３に設けられている。コイン受け皿４１は、コイン払出口８より下方位置でコイン払出口８の開口部分より広く前面扉３の幅方向に延在し、コイン払出口８から払い出されたコインを受ける底板部４３と、底板部４３から上方に延在するコイン流出阻止壁部と、流出阻止壁部の先端部で上方に向かって開口するコイン取り出し口４９とを有している。そして、コイン受け皿４１のコイン流出阻止壁部４４には、コイン受け皿４１の内部を照明するコイン受け皿用ライト５１を取り付けるためのコイン受け皿用ライト取付孔４８が開口形成されている。【選択図】図４
2006288811.tif 000002
【特許請求の範囲】
【請求項１】
前面扉のコイン払出口の下方位置で該コイン払出口の開口より広く前記前面扉の幅方向に延在し、前記コイン払出口から払い出されたコインを受ける底板部と、該底板部から上方に向かって延出し、前記コインの外方への流出を防止するコイン流出阻止壁部とを有するコイン貯留部を備えた遊技機において、
前記コイン貯留部のコイン流出阻止壁部には、
前記コイン貯留部の内部を照明する照明手段を配置するための照明手段取付孔が開口形成されていることを特徴とする遊技機。
【請求項２】
前記照明手段は、
発光体と、該発光体の光を受光可能な位置に設けられ、該発光体の光を透過させる光透過部と、から構成され、
前記照明手段取付孔には、前記光透過部を設け、該光透過部に前記発光体を一体に設けたことを特徴とする請求項１に記載の遊技機。
【請求項３】
前記光透過部に前記発光体を一体に設ける構成に代えて、
前記照明手段取付孔には、前記光透過部を設け、該光透過部と前記発光体とを別個に設けたことを特徴とする請求項２に記載の遊技機。
【請求項４】
前記光透過部に前記発光体を一体に設ける構成に代えて、
前記照明手段取付孔には、前記発光体を設け、前記光透過部を設けないようにしたことを特徴とする請求項２に記載の遊技機。
【請求項５】
前記コイン貯留部の底板部は、略矩形状を有し、
前記コイン貯留部のコイン流出阻止壁部は、前記前面扉から手前側に向かって延在するように基端が前記前面扉に固定された一対の側壁部と、該一対の側壁部の互いに対向する先端側端部を連結し、前記コイン払出口に対向配置される正面壁部とを有しており、
前記照明手段取付孔は、
前記コイン流出阻止壁部における一対の側壁部の互いに対向する内面側のいずれか一方又は両方に開口形成されていることを特徴とする請求項１〜４のいずれか１項に記載の遊技機。
【請求項６】
前記照明手段取付孔は、
前記側壁部の基端側から先端側の方向に向かって切り欠くことによって開口形成されていることを特徴とする請求項５に記載の遊技機。
【請求項７】
前記コイン流出阻止壁部の各々の側壁部は、
前記前面扉の幅方向に所定の間隔をおいて設けられ、前記前面扉から手前側に向かって延在するように基端が前記前面扉に固定された一対の側壁面と、該一対の側壁面の互いに対向する先端側辺部を連結する前壁面と、を有し、
前記照明手段取付孔は、
前記一対の側壁部の互いに対向する内側の側壁面のどちらか一方又は両方に開口形成されていることを特徴とする請求項５又は６に記載の遊技機。
【請求項８】
前記照明手段取付孔は、
前記内側の側壁面の基端側から先端側の方向に向かって切り欠くことによって開口形成されていることを特徴とする請求項７に記載の遊技機。
【請求項９】
前記各々の側壁部は、
前記一対の側壁面と前記前壁面によって囲まれて該一対の側壁面の互いに対向する基端側辺部側を奥側に向かって開放することにより内部に空間部を形成し、
該側壁部の空間部には、
前記照明手段を前記照明手段取付孔の位置で固定する保持手段が設けられていることを特徴とする請求項７又は８に記載の遊技機。
【請求項１０】
前記側壁部の空間部には、
前記側壁部の一方の側壁面から他方の側壁面に亘って延在するリブ部が設けられ、
前記保持手段は、前記リブ部に一体に設けられていることを特徴とする請求項９に記載の遊技機。
【請求項１１】
前記側壁部の照明手段取付孔には、前記照明手段の光透過部が配置され、該側壁部の空間部には、該照明手段の発光体が配置されるようにしたことを特徴とする請求項９又は１０に記載の遊技機。
【請求項１２】
前記照明手段取付孔は、
前記コイン流出阻止壁部における一対の側壁部の互いに対向する内面側のいずれか一方又は両方に開口形成する構成に代えて、
前記コイン払出口に対向する前記正面壁部の内面側に開口形成されるようにしたことを特徴とする請求項５に記載の遊技機。
【請求項１３】
前記コイン流出阻止壁部の内面側には、前記照明手段の発光体の光を反射する反射材が設けられていることを特徴とする請求項１〜１２のいずれか１項に記載の遊技機。
【発明の詳細な説明】
【技術分野】
【０００１】
本発明は、コイン払出口から払い出されたコインを貯留するコイン貯留部を備えた遊技機に関する。
【背景技術】
【０００２】
スロットマシン等に代表される遊技機は、遊技媒体であるコイン（メダル）を使用して遊技を楽しむように構成されており、通常１回の遊技で予め設定された入賞役に入賞すると所定枚数のコインが払い出されるように設定されている。そして、従来の遊技機では、遊技機の前面扉の下方位置に設けられたコイン払出口から払い出されたコインをコイン貯留部内に収容するようにしている。
【０００３】
図１１は、従来の遊技機に設けられているコイン貯留部の構成を説明する図である。
【０００４】
コイン貯留部１０１は、前面扉１１１の下方位置に設けられたコイン払出口１１３から払い出されるコインＭを収容するものであり、前面扉１１１の左右の幅方向に延在するように取り付け固定されている。コイン貯留部１０１は、前面扉１１１の幅方向へ略水平に延在する平坦な底面１０３ａを有し、コイン払出口１１３から払い出されたコインを受ける底板部１０３と、底板部１０３から上方に向かって延出し、払い出されたコインの外方への流出を防ぐコイン流出阻止壁部１０５と、コイン流出阻止壁部１０５の上端部で上方に向かって開口するコイン取り出し口１０７とを有している。なお、前面扉１１１の前面側には、遊技機の機種名等をデザインした表示パネル１１５が設けられ、表示パネル１１５の裏面側から蛍光灯１１７等の照明装置によって照明されている。
【０００５】
上記構成を有するコイン貯留部１０１の場合、入賞役に入賞することによって前面扉１１１のコイン払出口１１３から払い出されたコインＭは、コイン貯留部１０１の底板部１０３上に収容されていた。また、払い出されたコインＭは、コイン貯留部１０１のコイン流出阻止壁部１０５に接触して跳ね返ることによって外方へ漏れ出ることのないようにされていた。そして、コイン貯留部１０１の内部のコインＭを掴み取ってコイン取り出し口１０７から取り出し、遊技機の前面扉１１１に設けられたコイン投入口（図示せず）にコインを投入することにより遊技を開始するようにしていた。そして、遊技を終了するときには、電子的に貯留されていた全てのコインをコイン払出口１１３から払い出し、コイン貯留部１０１に収容された全てのコインを回収するようにしていた。
【０００６】
ところが、遊技機の配置されている遊技場は、演出効果等の観点から室内照明を暗くした状態であることが多い。これにより、コイン貯留部１０１の内部のコインＭを回収する場合、コイン取り出し口１０７の上方からコイン貯留部１０１の内部のコインＭを認識しづらいことから、コインＭの取り忘れが屡々発生していた。
【０００７】
或いは、遊技場の室内照明が明るい場合でも、図１１に示すように、前面扉１１１は、蛍光灯１１７を表示パネル１１５の裏側に配置する等することから手前側に向かって突設されており、遊技場の室内照明がコイン貯留部１０１の内部にまで到達しづらい状況にあった。従って、遊技場の室内照明が暗いときと同様にコイン貯留部１０１内部のコインＭを認識しづらいことから、コインＭの取り忘れが屡々発生していた。
【０００８】
そして、蛍光灯１１７の光は表示パネル１１５を裏面側から照明できるものの、コイン貯留部１０１まで到達していなかった。そこで、従来よりコイン貯留部１０１内のコインＭの取り忘れを防止する種々の遊技機が開発されている。
【０００９】
例えば、特開平１０−１７４７３８号では、遊技機の前面扉から手前側の方向に突出するように配置された表示パネル保持枠において、表示パネル保持枠内に保持される表示パネルを裏面側より照射する照明装置の光が通過する開口部をコイン貯留部と対向する表示パネル保持枠の下面に開口形成し、開口部を通過する光によって内部が照明されるコイン貯留部を備えた遊技機について提案している（特許文献１参照）。
【００１０】
【特許文献１】特開平１０−１７４７３８号
【発明の開示】
【発明が解決しようとする課題】
【００１１】
しかしながら、特許文献１に開示されている遊技機の場合、照明装置は、表示パネルを裏面から照射して表示パネルのデザイン等を際立たせることが主目的である。これにより、表示パネル保持枠の開口部を比較的大きさをもって開口形成し、コイン貯留部の照明のために照明装置の光を十分に確保することができない。従って、照明装置によって、コイン貯留部の内部を十分に照明することができないという課題を有していた。
【００１２】
また、コイン貯留部の照明の観点から、表示パネル保持枠の開口部を比較的大きさをもって開口形成すると、照明装置の光を十分に確保することできる。しかしながら、表示パネル保持枠の開口部が比較的大きいことから、開口部から棒体等の異物を挿入しやすくなり、これにより、スロットマシンの設定状態を変更するスイッチ類を操作する不正行為が容易に行われるという課題を有していた。
【００１３】
更に、表示パネルの照明装置の光を利用する場合、コイン貯留部を照明するのに十分な光を得ることができないことから、遊技機の前面扉等にコイン貯留部の内部を照射する照明装置を配置することも考えられる。しかしながら、遊技機の前面扉に、照明装置取付用のスペースが必要となり、遊技機の大型化を招くという課題を有している。
【００１４】
本発明は、これら種々の問題を鑑み、従来技術の課題を解決すべくなされたものであり、遊技機の大型化を招くことなくコイン貯留部の内部を照明し、コインの取り忘れを防止することができるコイン貯留部を備えた遊技機を提供することにある。
【課題を解決するための手段】
【００１５】
上記課題を解決する請求項１に記載した遊技機の発明は、
前面扉のコイン払出口の下方位置で該コイン払出口の開口より広く該前面扉の幅方向に延在し、該コイン払出口から払い出されたコインを受ける底板部と、該底板部から上方に向かって延出し、コインの外方への流出を防止するコイン流出阻止壁部とを有するコイン貯留部を備えた遊技機において、コイン貯留部のコイン流出阻止壁部には、コイン貯留部の内部を照明する照明手段を配置するための照明手段取付孔が開口形成されていることを特徴とする。
【００１６】
請求項１に記載の発明によれば、コイン貯留部のコイン流出阻止壁部の照明手段取付孔に照明手段を設けたので、照明手段の光をコイン貯留部の内部に到達させることができる。これにより、照明手段の光は、コイン貯留部の底板部に直接到達するだけでなく、コイン流出阻止壁部で反射することから、コイン貯留部の内部を十分な光をもって照明することができる。従って、コイン貯留部の内部のコインを容易に認識することができ、コインの取り忘れを防止することができる。
【００１７】
なお、本発明において、コイン流出阻止壁部の照明手段取付孔は、照明手段を取り付けることができれば種々の形態を有することができ、コイン流出阻止壁部に単に孔部を開口形成しても良く、以下に示すように、切り欠きの形態であっても良い。
【００１８】
請求項２に記載の発明は、請求項１に記載した遊技機において、
照明手段は、発光体と、該発光体の光を受光可能な位置に設けられ、該発光体の光を透過させる光透過部とから構成され、照明手段取付孔には、光透過部を設け、該光透過部に発光体を一体に設けたことを特徴とする。
【００１９】
請求項２に記載の発明は、照明手段の構成を具体的に限定したものであり、これによれば、照明手段の発光体と光透過部は一体に形成されているので、照明手段の照明手段取付孔への組付けを容易に行うことができる。
【００２０】
請求項３に記載の発明は、請求項２に記載した遊技機において、
光透過部に発光体を一体に設ける構成に代えて、照明手段取付孔には、光透過部を設け、該光透過部と発光体とを別個に設けたことを特徴とする。
【００２１】
請求項３に記載の発明は、請求項２に記載の照明手段の他の形態について規定したものである。これによれば、光透過部が発光体の光を受光できれば、光透過部を照明手段取付孔に設けた状態で所望の位置に発光体を設けることができるので、照明手段の設計の自由度を高めることができる。
【００２２】
請求項４に記載の発明は、請求項２に記載した遊技機において、
光透過部に発光体を一体に設ける構成に代えて、照明手段取付孔には、発光体を設け、光透過部を設けないようにしたことを特徴とする。
【００２３】
請求項４に記載の発明は、請求項２に記載の照明手段の他の形態について規定したものである。これによれば、照明手段は発光体のみによって構成されているので、照明手段の構成を簡素なものとすることができる。また、照明手段として発光体だけを用いるので、照明手段を安価に形成することができる。
【００２４】
請求項５に記載の発明は、請求項１〜４に記載した遊技機において、
コイン貯留部の底板部は、略矩形状を有し、コイン貯留部のコイン流出阻止壁部は、前面扉から手前側に向かって延在するように基端が前面扉に固定された一対の側壁部と、該一対の側壁部の互いに対向する先端側端部を連結し、コイン払出口に対向配置される正面壁部とを有しており、照明手段取付孔は、コイン流出阻止壁部における一対の側壁部の互いに対向する内面側のいずれか一方又は両方に開口形成されていることを特徴とする。
【００２５】
請求項５に記載の発明は、コイン貯留部の好適な形状を具体的に限定したものであり、これによれば、照明手段はコイン貯留部の側壁部の内面側に配置されているので、前面扉の幅方向に広く延在するコイン貯留部の内部を有効に照明することができる。従って、コイン貯留部の内部のコインを容易に認識することができるので、コインの取り忘れを防止することができる。特に、コイン貯留部の両方の側壁部に照明手段を取り付ければ、コイン貯留部の内部の照明効果を更に高めることができる。
【００２６】
また、コイン貯留部の一対の側壁部は、前面扉の近傍に配置されることから、照明手段の発光体までの配線を複雑にする必要のないようにすることができる。
【００２７】
それから、照明手段はコイン貯留部の一対の側壁部のいずれか一方又は両方に設けられているので、コイン払出口から払い出されたコインとの接触頻度を少なくすることができる。従って、コインの接触による照明手段の光透過部の損傷を少なくして、メンテナンスの回数の削減を図ることができる。
【００２８】
請求項６に記載の発明は、請求項５に記載した遊技機において、
照明手段取付孔は、側壁部の基端側から先端側の方向に向かって切り欠くことによって開口形成されていることを特徴とする。
【００２９】
請求項６に記載の発明は、コイン貯留部の照明手段取付孔の構成を具体的に限定したものであり、これによれば、照明手段取付孔は側壁部の基端側から先端側の方向に切り欠き形成されたので、照明手段を側壁部の基端側から先端側の方向にスライドするだけで照明手段取付孔に容易に取り付け固定することができる。従って、照明手段をコイン貯留部に取り付ける作業性の向上を図ることができる。
【００３０】
また、照明手段を取り外すときには、側壁部の先端側から基端側の方向に照明手段をスライドするだけで簡単に取り外すことができるので、照明手段のメンテナンスを容易に行うことができる。
【００３１】
請求項７に記載の発明は、請求項５又は６に記載した遊技機において、
コイン流出阻止壁部の各々の側壁部は、前面扉の幅方向に所定の間隔をおいて設けられ、前面扉から手前側に向かって延在するように基端が前面扉に固定された一対の側壁面と、該一対の側壁面の互いに対向する先端側辺部を連結する前壁面とを有し、照明手段取付孔は、一対の側壁部の互いに対向する内側の側壁面のどちらか一方又は両方に開口形成されていることを特徴とする。
【００３２】
請求項７に記載の発明は、コイン流出阻止壁部の側壁部の構成を更に具体的に限定したものであり、これによれば、コイン流出阻止壁部の各々の側壁部は、一対の側壁面と、一対の側壁面の先端側辺部を連結する前壁面とからなる二重構造としたので、コイン貯留部の前面扉に対する取付構造を強固なものとすることができる。遊技機は、遊技の進行中又は遊技の終了後に複数枚のコインがコイン払出口からコイン貯留部に払い出される構成となっていることから、コイン貯留部を前面扉に強固に取り付けることにより多量のコインを貯留することができる。
【００３３】
また、コイン貯留部は、一対の側壁面及び前面壁を有する一対の側壁部と、一対の側壁部を連結する正面壁部によって安定した姿勢状態にて形成できるので、前面扉への取付構造を確保することができる。
【００３４】
請求項８に記載の発明は、請求項７に記載した遊技機において、
照明手段取付孔は、側壁面の基端側から先端側の方向に向かって切り欠くことによって開口形成されていることを特徴とする。
【００３５】
請求項８に記載の発明は、照明手段取付孔の構成を更に具体的に限定したものであり、これによれば、照明手段取付孔は、互いに対向する内側の側壁面の基端側から先端側の方向に切り欠き形成されたので、請求項３に記載の発明と同様に照明手段を照明手段取付孔に沿ってスライドするだけで、容易に照明手段の着脱を行うことができる。
【００３６】
また、側壁部は、一対の側壁面を有しており、内側の側壁面を開口形成するだけで照明手段取付孔を設けることから、照明手段取付孔の開口形成を簡易に行うことができる。
【００３７】
請求項９に記載の発明は、請求項７又は８に記載した遊技機において、
各々の側壁部は、一対の側壁面と前壁面によって囲まれて該一対の側壁面の互いに対向する基端側辺部側を奥側に向かって開放することにより内部に空間部を形成し、該側壁部の空間部には、照明手段を照明手段取付孔の位置で固定する保持手段が設けられていることを特徴とする。
【００３８】
請求項９に記載の発明は、コイン流出阻止壁部の側壁部の構成を更に具体的に限定したものであり、これによれば、各々の側壁部の内部は中空となるように空間部が形成されることから、コイン貯留部の前面扉に対する強固な取付を確保しつつ、コイン貯留部の軽量化を図ることができる。
【００３９】
また、側壁部の空間部には保持手段を設けたので、照明手段を照明手段取付孔に取り付けた後は、照明手段取付孔の位置で保持手段によって照明手段が保持されることから、照明手段の取付後の脱離を防止することができる。
【００４０】
請求項１０に記載の発明は、請求項９に記載した遊技機において、
側壁部の空間部には、側壁部の一方の側壁面から他方の側壁面に亘って延在するリブ部が設けられ、保持手段は、リブ部に一体に設けられていることを特徴とする。
【００４１】
請求項１０に記載の発明は、側壁部の構成を具体的に限定したものであり、これによれば、側壁部の一方の側壁面から他方の側壁面に亘ってリブ部が延在しているので、側壁部の強度をさらに向上させることができる。
【００４２】
また、正面壁部によって一対の側壁部の先端側端部を連結したことと相俟ってコイン貯留部の姿勢状態が安定するので、コイン貯留部の前面扉への取り付けを容易に行うことができるだけでなく、前面扉に対するコイン貯留部の取付構造の向上を図ることもできる。
【００４３】
そしてまた、側壁部の強度が向上することから、コイン貯留部の強度が得られ、コイン払出口から払い出されたコインを多量に貯留することができる。
【００４４】
それから、このように側壁部の空間部内に設けられたリブ部に保持手段を一体に設けるようにしたので、部品点数を増大させることなく、空間部内に保持手段を配置することができる。
【００４５】
請求項１１に記載の発明は、請求項９又は１０に記載した遊技機において、
側壁部の照明手段取付孔には、照明手段の光透過部が取り付けられ、該側壁部の空間部には、該照明手段の発光体が配置されるようにしたことを特徴とする。
【００４６】
請求項１１に記載の発明は、照明手段の取り付けを具体的に限定したものであり、これによれば、側壁部の照明手段取付孔に照明手段の光透過部を設け、側壁部の空間部に発光体が配置されるので、コイン払出口からコイン貯留部の内部に払い出されたコインが光透過部によって照明手段の発光体に接触して損傷を与えることがない。従って、照明手段のメンテナンスの回数を少なくすることができる。
【００４７】
請求項１２に記載の発明は、請求項５に記載した遊技機において、
照明手段取付孔は、コイン流出阻止壁部における一対の側壁部の互いに対向する内面側のいずれか一方又は両方に開口形成する構成に代えて、コイン払出口に対向する正面壁部の内面側に開口形成されるようにしたことを特徴とする。
【００４８】
請求項１２に記載の発明は、コイン貯留部の照明手段取付孔の構成を具体的に限定したものであり、これによれば、照明手段取付孔をコイン流出阻止壁部の正面壁部に配置したので、コイン貯留部の正面壁部から遊技機の前面扉の方向に向かって照射できるように形成されている。これにより、発光体の光は前面扉で反射されてコイン貯留部の内部に適度に散乱することから、コイン貯留部の内部を照明することができる。
【００４９】
請求項１３に記載の発明は、請求項１〜１２に記載した遊技機において、
コイン流出阻止壁部の内面側には、発光体の光を反射する反射材が設けられていることを特徴とする。
【００５０】
請求項１３に記載の発明は、コイン貯留部のコイン流出阻止壁部の構成を具体的に限定したものであり、これによれば、発光体の光は反射材によって反射されてコイン貯留部の内部に適度に分散するので、発光体による照明効果を更に高めることができる。
【発明の効果】
【００５１】
本発明にかかる遊技機によれば、コイン貯留部のコイン流出阻止壁部に配置された照明手段によってコイン貯留部の内部を照明するようにしたので、コイン貯留部の内部のコインを容易に認識することができ、コインを回収する際のコインの取り忘れを防止することができる。
【００５２】
また、コイン貯留部の内部は照明手段によって照明されて認識しやすいことから、遊技機の設置された遊技場における室内照明の影響を受けることなくコイン貯留部の内部に払い出されたコインの量をより認識しやすくなる。
【００５３】
更に、照明手段は、コイン貯留部のコイン流出阻止壁部に配置するようにしたことから、遊技機の前面扉に照明手段を取り付けるためのスペースを必要としないので、遊技機の大型化を防止することができる。
【発明を実施するための最良の形態】
【００５４】
（第１実施の形態）
以下、本発明の一実施の形態について遊技機の一例としてスロットマシンの場合を例に図面に基づいて説明する。
【００５５】
図１は、スロットマシン１の前面扉３が閉じた状態を示した斜視図、図２は、スロットマシン１の前面扉３が開いた状態を示した斜視図、図３は、コイン受け皿４１を前面扉３から取り外した状態のスロットマシン１の斜視図である。スロットマシン１は、図１に示すように筐体２と前面扉３とからなる正面視略矩形状の本体４を有している。
【００５６】
筐体２は、スロットマシン１の骨格をなす部材であり、図２に示すように、前面側を開放部とした箱形状を有している。筐体２の内部には、各種の図柄等が表示される複数個の回転ドラム１１と、スロットマシン１の遊技動作を制御するメイン制御基板６０（図９を参照）等を収納した制御基板収納ボックス１２と、電源スイッチ１３ａ、リセットスイッチ１３ｂ等を備える電源ボックス１３と、遊技媒体であるコインを貯留する補助タンク１４ａ、及び補助タンク１４ａ内のコインを排出用通路７からコイン払出口８に払い出す支払装置１４ｂを備えたホッパ１４等が収容されている。
【００５７】
前面扉３は、図２に示すように、左側辺部の上下２カ所がヒンジ５によって筐体２に連結されて取り付けられており、筐体２の前面側の開放部を容易に閉塞及び開放できるように構成されている。
【００５８】
前面扉３は、図１に示すように、上方から下方に向かって順番に表示部３Ａ、操作部３Ｂ、貯留部３Ｃの３つの部分を備えている。表示部３Ａは、前面扉３の上辺に沿って設けられ遊技の進行に伴って点灯・点滅する上部ランプ２１と、上部ランプ２１の下方位置で左右両側に各々配置されて種々の効果音等を発生させる一対のスピーカ２２と、これら一対のスピーカ２２の間に配設されて画像・映像等の種々の情報を表示する液晶ディスプレイ２３を有している。また、表示部３Ａの略中央高さ位置には、筐体２内で回転する複数個の回転ドラム１１をそれぞれ視認するための透明窓２４が設けられており、透明窓２４の左側にはコインのベット数（賭け数）に応じて点灯するベットランプ２５が配設されている。そして、表示部３Ａの下部には、左側から右側に向かって順番にクレジット枚数表示部２６、ゲーム数表示部２７、払出枚数表示部２８が設けられている。
【００５９】
操作部３Ｂは、表示部３Ａの下端で折曲されて手前側に向かって延在する平面部分Ｆと、その平面部分Ｆの手前側の端部で折曲されて下方に向かって垂下する縦壁部分Ｈを有している。平面部分Ｆには、左側位置に１枚用と２枚用のベットボタン３１、３２が設けられ、その右側近傍位置に３枚用のベットボタン３３が設けられている。そして、平面部分Ｆの右側位置にはコイン投入口３６が配設されている。
【００６０】
縦壁部分Ｈの上部の略中央部分において左側から右側に向かって順番に、コインを貯留するか否かを選択するためのクレジット投入ボタン３４、回転ドラム１１の回転開始を指示するためのスタートレバー３５、回転ドラム１１の回転停止を指示するためのストップボタン３７が設けられている。
【００６１】
クレジット投入ボタン３４の操作によってコインを貯留するように選択した場合、一度の遊技に使用される３枚のコインに加えて、予め設定されている枚数まで投入可能に設定されている。本実施の形態において、例えば既に投入されたコインの枚数を含めて最大５３枚まで投入可能に設定されている。一方、クレジット投入ボタン３４の操作によってコインを貯留しないように選択した場合、上記の３枚のコインのみ投入可能に設定され、４枚目以降のコインについては、排出用通路７からコイン払出口８に返却されるように構成されている。
【００６２】
スタートレバー３５は、縦壁部分Ｈから手前側に向かって突設されており、下方に押し下げる、或いは上方に押し上げることによって操作される。ストップボタン３７は、各回転ドラム１１に対応する位置にそれぞれ配設されており、押し動作によって操作される。また、操作部３Ｂの下部には、機種名や遊技に関わるキャラクタ等が表示された表示プレート３８ａを保持する表示プレート保持枠３８が前面扉３から手前側に突設されている。そして、表示プレートの裏面側には、表示プレート３８ａの表示を際立たせる所定の照明装置（図示せず）が設けられている。
【００６３】
貯留部３Ｃは、操作部３Ｂの下方位置で前面扉３の左右方向に延在するように配置形成されており、コイン受け皿４１等が設けられている。また、貯留部３Ｃは、図３に示すように、前面扉３の左右辺部の近傍で上下方向に延在するように取り付け固定された補強部材６を有しており、貯留部３Ｃの略中央高さの位置に、コイン払出口８がコインの外径より広く開口形成されている。
【００６４】
左右の補強部材６は、金属部材によって形成されており、主として前面扉３の強度を確保するために設けられている。左右の補強部材６は、前面扉３の後面側において、ほぼ下端位置から上方に向かって延在し、前面扉３の表示部３Ａの所定位置まで到達するように延在している。
【００６５】
前面扉３の左辺部近傍の補強部材６は、前面扉３の左辺部の上下２カ所に設けられたヒンジ５を取り付け固定する支持フレームとして構成されている。また、前面扉３の右辺部近傍の補強部材６には、筐体２の開放部分を閉塞する前面扉３を解錠又は施錠する前面扉３のロック機構が取り付け固定されている。そして、左右の補強部材６の下方位置の前面扉３の貯留部３Ｃにおいて、それぞれコイン受け皿取付孔６ａが上下方向に所定の間隔をおいて２カ所に設けられている。
【００６６】
次に、コイン受け皿４１について図４〜図８を参照しつつ説明する。図４は、コイン受け皿４１の斜視図、図５は、コイン受け皿４１の背面図、図６は、コイン受け皿４１の要部拡大図、図７は、コイン受け皿４１の正面側の分解図、図８は、背面側のコイン受け皿４１の分解図である。
【００６７】
コイン受け皿４１は、ホッパ１４のホッパ駆動モータの回転駆動によりコイン払い出し通路７を介してコイン払出口８から払い出されたコインを貯留するためのものであり、コイン受け皿取付板４２を間に介して前面扉３の貯留部３Ｃに取り付け固定されている。
【００６８】
コイン受け皿取付板４２は、一枚の金属板によって形成されており、本実施の形態において貯留部３Ｃの形状に対応して略矩形状を有している。コイン受け皿取付板４２は、前面扉３の貯留部３Ｃとほぼ同じ大きさもって前面扉３の左右の幅方向に延在している。コイン受け皿取付板４２は、前面扉３の貯留部３Ｃのコイン払出口８に対応する位置に開口形成したコイン出口４２ａと、補強部材６のコイン受け皿取付孔６ａの位置に対応して設けられたコイン受け皿取付孔４２ｂと、後述の照明手段の配線を挿通させる配線挿通孔４２ｃを有している。
【００６９】
コイン受け皿取付板４２の配線挿通孔４２ｃは、コイン受け皿取付板４２の左右の辺部から内側に向かって切り欠くことによって凹設されている。配線挿通孔４２ｃは、照明手段の配線をスロットマシン１の筐体２内部に引き込むことができればどのような形であっても良く、例えば、コイン受け皿取付板４２の上下方向に延在する長孔状とすることも可能である。
【００７０】
従って、コイン受け皿４１は、補強部材６のコイン受け皿取付孔６ａ及びコイン受け皿取付板４２のコイン受け皿取付孔４２ｂに前面扉３の裏面側からネジ留めすると共に、配線挿通孔４２ｃから照明手段の配線を筐体２内部に引き込むことによって前面扉３の貯留部３Ｃに取り付けることができるように構成されている。そして、コイン受け皿４１は、図４に示すように、底板部４３、コイン流出阻止壁部４４、コイン取り出し口４９を有している。
【００７１】
底板部４３は、コイン払出口８から払い出されたコインを受けるものであり、コイン払出口８の開口部分より広く前面扉３の左右の幅方向に沿って略水平に延在する底面４３ａを有している。底板部４３は、例えば本実施の形態において前面扉３の幅方向の方がこの幅方向に交差する方向よりも長い略矩形状を有している。従って、コイン受け皿４１は、払い出された複数枚のコインを受けつつ前面扉３から手前側に向かって大きく突出することのないように構成されている。
【００７２】
コイン流出阻止壁部４４は、底板部４３で受けたコインの移動を規制して、コインが外方に漏れ出ることがないようにするためのものであり、底板部４３から上方に向かって延出するように構成されている。コイン流出阻止壁部４４は、コイン受け皿取付板４２から手前側に向かって延在するように基端がコイン受け皿取付板４２に固定された左右一対の側壁部４５、４６と、左右一対の側壁部４５、４６の互いに対向する先端側端部を連結し、コイン払出口８に対向配置される正面壁部４７とを有している。
【００７３】
左右一対の側壁部４５、４６は、コイン払出口８から底板部４３に払い出されたコインが前面扉３の幅方向に漏れ出ることがないように所定の高さを有している。本実施の形態において、一対の側壁部４５、４６の高さは、手前側に向かって漸次低くなるように形成されている。左側壁部４５は、前面扉３の左側辺部から内側の位置に配置されており、左側壁部４５の外側面から連続して前面扉３の左側辺部に到達するように灰皿４１ａ等が設けられている（図１を参照）。
【００７４】
右側壁部４６は、前面扉３の右側辺部の位置に対応して配置されている。右側壁部４６は、コイン受け皿取付板４２から手前側に向かって延在するようにコイン受け皿取付板４２に固定された一対の外壁面４６ａ及び内壁面４６ｂと、外壁面４６ａ及び内壁面４６ｂの対向する手前側辺部を連結する前壁面４６ｃとを有している。右側壁部４６の外壁面４６ａ及び内壁面４６ｂは、前面扉３の幅方向に所定の間隔をおいて設けられており、外壁面４６ａ及び内壁面４６ｂの対向する奥側辺部側は後方に向かって開放されている。従って、右側壁部４６は、右側壁部４６の外壁面４６ａ、内壁面４６ｂ及び前壁面４６ｃに囲われることにより内部が中空となるように空間部を有している。
【００７５】
なお、本実施の形態において、右側壁部４６が空間部を有する構成としたが、左側壁部４５も同様の構成とすることができる。
【００７６】
右側壁部４６の空間部には、右側壁部４６の補強のためリブ４６ｄが設けられている。本実施の形態において、リブ４６は板状を有し、右側壁部４６の空間部の上方位置及び下方位置でそれぞれ右側壁部４６の外壁面４６ａから内壁面４６ｂに亘って延在する上下一対の横リブ４６ｅと、上下一対の横リブ４６ｅを連結するように上下方向に延在する縦リブ４６ｆによって形成されている。そして、上下の横リブ４６ｅと縦リブ４６ｆは、補強部材６のコイン受け皿取付孔６ａ及びコイン受け皿取付板４２のコイン受け皿取付孔４２ｂの位置に対応して、コイン受け皿取付孔４６ｇが形成できるように配置されている。
【００７７】
これにより、右側壁部４６は、前面扉３の幅方向に所定の間隔をおいて配置された外壁面４６ａと内壁面４６ｂによって二重構造とし、二重構造の右側壁部４６の内部に上下の横リブ４６ｅと縦リブ４６ｆを配置したので、コイン受け皿４１の強度を確保することができる。これにより、コイン受け皿４１に多量のコインを貯留することができる。
【００７８】
また、右側壁部４６の外壁面４６ａと内壁面４６ｂは、前面扉３の幅方向に所定の間隔をおいて設けられていることから、右側壁部４６の空間部において、上下の横リブ４６ｅ、縦リブ４６ｆを比較的自由に配置することができ、右側壁部４６の設計の自由度が得られる。これにより、右側壁部４６の十分な強度を確保するのに十分な横リブ４６ｅ及び縦リブ４６ｆの配置を可能にし、正面壁部４７の構成と相俟って、コイン受け皿４１の取付強度の向上を図ることができる。
【００７９】
そして、右側壁部４６ｂには、外壁面４６ａ、内壁面４６ｂ及び前壁面４６ｃに囲まれた中空の空間部を形成したので、コイン受け皿４１の軽量化を図ることができる。
【００８０】
右側壁部４６の内壁面４６ｂには、後述のコイン受け皿用ライト５１を取り付けるコイン受け皿用ライト取付孔４８が開口形成されている。コイン受け皿用ライト取付孔４８は、右側壁部４６の内壁面４６ｂの基端側から先端側の方に向かって切り欠くことによって開口形成され、本実施の形態において略矩形状を有している。コイン受け皿用ライト取付孔４８は、コイン受け皿用ライト５１を右側壁部４６の基端側から先端側の方向又は右側壁部４６の先端側から基端側の方向にスライドできるように構成されている。
【００８１】
コイン受け皿用ライト取付孔４８は、右側壁部４６の内壁面４６ｂの上下方向に所定の位置に設けられている。しかしながら、コイン受け皿用ライト取付孔４８の位置は、右側壁部４６のより上部側に配置されると、右側壁部４６の上部側は下方側に比べて手前側に大きく突出していないことから、コイン受け皿用ライト５１の大きさによってはコイン受け皿用ライト取り付け孔４８を開口形成できない場合もある。また、右側壁部４６のより下部側に配置されると、コイン受け皿４１の底板部４３の構成部材が干渉してコイン受け皿用ライト５１を取り付けることができない場合もある。特に、右側壁部４６の下端にコイン受け皿用ライト取付孔４８を配置すると、コイン受け皿用ライト５１が下方に脱離し、好ましくない。従って、コイン受け皿用ライト取付孔４８は、右側壁部４６の上下方向において、コイン受け皿用ライト５１を取り付け固定でき且つ取付時にコイン受け皿４１の構成部材が干渉しないような位置を適当に選択するのが好ましい。
【００８２】
また、コイン受け皿用ライト取付孔４８は、上述のように右側壁部４６の内壁面４６ｂの基端側から先端側の方に向かって切り欠き略矩形状に形成したが、コイン受け皿用ライト５１を取り付けることができれば種々の形態によって形成することができる。例えば、右側壁部４６の内壁面４６ｂの所定の位置にコイン受け皿用ライト５１の形状に対応した孔部を単に開口形成することも可能である。
【００８３】
従って、本発明において、コイン受け皿用ライト５１の「取付孔」は、本実施の形態の切り欠きによる孔部や、右側壁部４６の内壁面４６ｂの所定位置に単に設けられた孔部等の、コイン受け皿用ライト５１を設けることができる種々の孔部を表す意味合いで用いられる。同様に、「開口形成」するとは、上述の切り欠きによる孔部や単に設けられた孔部等の、右側壁部４６の内壁面４６ｂに形成しようとする孔部の種々の開口動作を含む意味合いで用いられている。
【００８４】
右側壁部４６のコイン受け皿用ライト取付孔４８の下方位置には、右側壁部４６の先端側から基端側の方向に向かって延在するように保持レール４６ｈがコイン受け皿用ライト取付孔４８に沿って設けられている。保持レール４６ｈは、下側の横リブ４６ｅに設けられており、下側の横リブ４６ｅから上方に向かって突出し、上端がコイン受け皿用ライト取付孔４８まで到達しないように形成されている。保持レール４６ｈは、下側の横リブ４６ｅに一体に形成されていても良く、又は別個の構成部材として形成して、保持レール４６ｈを下側の横リブ４６ｅに一体となるように設けることも可能である。
【００８５】
また、右側壁部４６のコイン受け皿用ライト取付孔４８の上方位置には、右側壁部４６の先端側から基端側の方向に向かって延在するように保持板４６ｊがコイン受け皿用ライト取付孔４８に沿って設けられている。保持板４６ｊは、上側の横リブ４６ｅに設けられており、上側の横リブ４６ｅから下方に向かって延出し、下端がコイン受け皿用ライト取付孔４８まで到達しないように形成されている。保持板４６ｊは、上側の横リブ４６ｅに一体に形成されていても良く、又は別個の構成部材として形成して、保持板４６ｊを上側の横リブ４６ｅに一体となるように設けることも可能である。
【００８６】
このように、内外の側壁面４６ａ、４６ｂを前壁面４６ｃで連結することによって右側壁部４６を二重構造とするように空間部を形成し、上下の横リブ４６ｅ及び縦リブｆを設けて右側壁部４６の強度向上を図っている。そして、本実施の形態における保持レール４６ｈ及び保持板４６ｊは、このように右側壁部４６の空間部に配置された上下の横リブ４６ｅ及び縦リブｆを利用して設けるようにしたものである。これにより、保持レール４６ｈ及び保持板４６ｊを設けるための部材を必要としないので、部品点数の増大を防止することができる。
【００８７】
従って、保持レール４６ｈ及び保持板４６ｊは、コイン受け皿用ライト５１をコイン受け皿用ライト取付孔４８に配置し、配置後はコイン受け皿用ライト５１を保持する保持手段を形成する。これにより、コイン受け皿用ライト５１の取付後は、保持レール４６ｈ及び保持板４６ｊによって保持されて、脱離等を防ぐことができる。
【００８８】
特に、本実施の形態の保持手段の保持レール４６ｈ及び保持板４６ｊは、コイン受け皿用ライト取付孔４８に沿って延在することから、コイン受け皿用ライト５１をスライドするだけでコイン受け皿用ライト取付孔４８へ円滑に誘導することができる。これにより、コイン受け皿用ライト５１を、保持レール４６ｈ及び保持板４６ｊに沿ってスライドするだけで良いので、コイン受け皿用ライト取付孔４８にコイン受け皿用ライト５１を簡易に取り付け固定することができる。
【００８９】
また、コイン受け皿４１は、コイン受け皿用ライト５１をコイン受け皿用ライト取付孔４８にスライドさせて取り付けた状態で、左右の側壁部４５、４６の奥側端部側からコイン受け皿取り付け板４２をコイン受け皿４１に当接させて密着させ、その状態で前面扉３の貯留部３Ｃに取り付けることができる。これにより、従来のコイン受け皿４１の組み付けを行う中で取付行程を増やすことなくコイン受け皿用ライト５１をコイン受け皿用ライト取り付け孔４８に取り付けることができる。
【００９０】
そしてまた、保持手段によって誘導されたコイン受け皿用ライト５１は、右側壁部４６の内壁面４６ｂと、保持手段の保持レール４６ｈ及び保持板４６ｊによってコイン受け皿用ライト５１を挟持する形でコイン受け皿用ライト５１を保持できるので、部品点数を増やすことなくコイン受け皿用ライト５１の固定を行うことができる。
【００９１】
それから、コイン受け皿用ライト５１は、右側壁部４６に内壁面４６ｂと、保持手段の保持レール４６ｈ及び保持板４６ｊによって挟持されることから、取付後のコイン受け皿用ライト５１の脱落等を防ぐことができる。
【００９２】
なお、リブ４７ｄ及び保持手段の保持レール４６ｈ及び保持板４６ｊは、コイン受け皿用ライト５１をスライドさせて取り付け固定し、取付後の脱離の防止を図るように右側壁部４６の内部の空間部に配置されているが、コイン受け皿用ライト５１をコイン受け皿用ライト取付孔４８に取り付け固定し、取付後にコイン受け皿用ライト５１の脱離等を防ぐことができれば、上記のような形態の配置に限定されるものではない。
【００９３】
例えば、コイン受け皿用ライト取付孔４８が、切り欠きにより形成されずに右側壁部４６の内壁面４６ｂの所定位置に単に開口形成された場合、コイン受け皿用ライト５１にコイン受け皿用ライト取付孔４８に係止する係止部を設け、ネジ止め等によってコイン受け皿用ライト５１を取り付けることができる。
【００９４】
コイン流出阻止壁部４４の正面壁部４７は、コイン払出口８から払い出されたコインを跳ね返すことによってコインの外方への移動を規制して、コインが漏れ出ることのないようにするものであり、底板部４３から上方に移行するに従って前面扉３から漸次離反するように構成されている。これにより、正面壁部４７の上端部で、この正面壁部４７と左右の側壁部４５、４６によって囲まれることにより形成されるコイン取り出し口４９は、底板部４３より広く開口形成することができる。
【００９５】
従って、コイン取り出し口４９の上方からコイン受け皿４１の内部を認識しやすくなり、コインの取り忘れを防止することができる。また、コイン受け皿４１の内部のコインを掴み取ってコイン取り出し口４９から容易に取り出せるので、コインの回収を円滑に行うことができる。そしてまた、上方からのコイン受け皿４１内部の認識が容易なので、コイン受け皿４１に貯留されたコインの量を容易に把握することができる。
【００９６】
コイン流出阻止壁部４４の一対の側壁部４５、４６及び正面壁部４７の内面には、コイン受け皿用ライト５１の光を反射する反射材を設けるようにしても良い。これにより、コイン受け皿用ライト５１の光は反射材によって適度に分散されるので、コイン受け皿用ライト５１による照明効果を更に高めることができる。
【００９７】
コイン受け皿用ライト取付孔４８に取り付け固定されるコイン受け皿用ライト５１は、コイン受け皿４１の内部を照明する照明手段を構成し、基板５１ａ、ＬＥＤ５１ｂ、レンズ５１ｃを有している。コイン受け皿用ライト５１の基板５１ａは、コイン受け皿取付板４２の配線挿通孔４２ｃから配線がスロットマシン１の筐体２内部に引き込まれ、必要により中継基板（図示せず）を間に介してサブ制御基板（図９を参照）に接続されている。基板５１ａ上には、本発明の発光体を構成する複数個のＬＥＤ５１ｂが実装されている。なお、本実施の形態では、ＬＥＤを使用しているが、表示プレート３８ａの照明装置の光より明るさを確保できれば他の発光体を用いることも可能である。
【００９８】
レンズ５１ｃは、基板５１ａ上に実装されたＬＥＤ５１ｂからの光を受光可能な位置に配置され、ＬＥＤ５１ｂの光を透光可能な光透過部として構成されている。レンズ５１ｃは、ＬＥＤ５１ｂの光をコイン受け皿４１に向けて適度に分散させるだけでなく、基板５１ａに実装されたＬＥＤ５１ｂを保護する保護カバーとしての機能を兼備しており、ポリカーボネート等のプラスチック材料によって構成されている。レンズ５１ｃは、ＬＥＤ５１ｂを実装した基板５１ａにビス等によって取り付け固定されている。
【００９９】
レンズ５１ｃは、基板５１ａより若干大きさをもって形成され、本実施の形態において略矩形状を有している。レンズ５１ｃは、コイン受け皿用ライト取付孔４８の大きさに対応した本体部５１ｄと、コイン受け皿用ライト５１をコイン受け皿用ライト取付孔４８に取り付けるときに、右側壁部４６の内壁面４６ｂと保持レール４６ｈ及び保持板４６ｊとの間に挿入される挿入部５１ｅとを有している。レンズ５１ｃの本体部５１ｄは、コイン受け皿用ライト５１が取り付けられたときに露出することから比較的厚みを持って形成され、一方、レンズ５１ｃの挿入部５１ｅは、右側壁部４６の内壁面４６ｂと保持レール４６ｈ及び保持板４６ｊとの間に挿入できる程度の厚みを持って形成されている。
【０１００】
そして、コイン受け皿用ライト取付孔４８にコイン受け皿用ライト５１が取り付けられたとき、レンズ５１ｃの本体部５１ｄは、右側壁部４６の内壁面４６ｂと同一面を形成するように構成されている。これにより、コイン受け皿用ライト５１は、右側壁部４６からコイン受け皿４１の内側に突出しないことから、コイン受け皿４１のコインを貯留する容量を損なうことなくコイン受け皿４１の内部を照明することができる。
【０１０１】
このように、本発明の照明手段としてのコイン受け皿用ライト５１は、ＬＥＤ５１ｂを基板５１ａに実装させ、ビス止め等によってレンズ５１ｃを基板５１ａに取り付けた一体型によって形成したが、コイン受け皿４１の内部を照明することができれば、このような構成に限定されるものではない。
【０１０２】
例えば、レンズ５１ｃをコイン受け皿用ライト取付孔４８に取り付け固定した状態で、基板５１ａに実装させたＬＥＤ５１ｂをレンズ５１ｃに対向配置するように縦リブ４６ｆに取り付けて、レンズ５１ｃと基板５１ａに実装させたＬＥＤ５１ｂとを別個に設けることも可能である。
【０１０３】
また、コイン受け皿用ライト５１は、コイン受け皿４１の右側壁部４６に設けられているので、払い出されたコインとの接触頻度が少ないことから、レンズ５１ｃを設けることなく、基板５１ａと、基板５１ａに実装させたＬＥＤ５１ｂとによって形成することも可能である。
【０１０４】
次に、制御基板収納ボックス１２内に配設されているスロットマシン１のメイン制御基板６０等について図９に基づいて説明する。図９は、スロットマシン１の電気的構成を説明するブロック図である。
【０１０５】
メイン制御基板６０には、演算装置である１チップマイコンとしてのＭＰＵ６１と、そのＭＰＵ６１に接続されると共にセンサ類やスイッチ類等の各種の入出力手段に接続された入出力ポート６２が搭載されている。
【０１０６】
ＭＰＵ６１には、ＭＰＵ６１により実行されるコイン払出プログラム等の制御プログラムやコイン払い出し間隔等の固定値データを記憶したＲＯＭ６３と、そのＲＯＭ６３内に記憶される制御プログラムの実行にあたって各種のデータ等を一時的に記憶するためのメモリであるＲＡＭ６４等が内蔵されている。
【０１０７】
入出力ポート６２には、クレジット投入ボタン３４、スタートレバー３５、ストップボタン３７、クレジット枚数表示部２６、ゲーム数表示部２７、払出枚数表示部２８、ホッパ１４、サブ制御基板７０等が接続されている。
【０１０８】
サブ制御基板７０は、メイン制御基板６０から送信されるコマンドを受信して所定の制御処理を行うものであり、本実施の形態では、スピーカ２２から効果音等の出力制御、コイン受け皿用ライト５１の発光制御等を行わせるように構成されている。
【０１０９】
電源基板８０は、電源ボックス１３内に設けられており、メイン制御基板６０の他に、ホッパ１４等のスロットマシン１の各電子機器に駆動電力を供給する電源部８１と、電源断の発生を監視する停電監視回路８２等の各種回路を備えている。スロットマシン１の電源オフ後には、電源基板８０の電源部８１からＲＡＭ６４にバックアップ電圧が供給される。
【０１１０】
ＭＰＵ６１は、入出力ポート６２に接続されている各種センサ類、スイッチ類からの検出信号等に基づき、ＲＯＭ６３内に格納されているプログラムを実行することによって種々の処理を行う制御手段を構成する。
【０１１１】
例えば、クレジット投入ボタン３４を押下する操作にかかる検出信号が入出力ポート６２を介して入力されると、ＭＰＵ６１は、コイン払出プログラムに基づき解析して貯留モードから払い出しモードへの切り替えなのか、払い出しモードから貯留モードへの切り替えなのかを判断する。そして、コインの貯留モードから払い出しモードへの切り替わりであると判断すると、入出力ポート６２を介してホッパ１４の駆動モータを回転駆動する信号を出力し、ホッパ１４の駆動モータに電力を供給してホッパ１４の駆動モータを回転駆動させる処理を行わせる。
【０１１２】
ホッパ１４の支払装置１４ｂからコイン排出用通路７を介してコインの払い出しが開始されると、ＭＰＵ６１はクレジット枚数表示部２６に表示されている数値を１ずつ減じ、「０」になるまで払い出し処理を行う。なお、コイン排出用通路７には、少なくとも２個のコイン検出センサ（図示せず）が所定間隔をおいて設けられており、ＭＰＵ６１ではコイン検出センサからの検出信号に基づいてコインの通過、すなわちコインの払い出しを判断している。
【０１１３】
ＭＰＵ６１は、コイン検出センサの検出信号に基づきコインの払い出し間隔を判断し、払い出し間隔が予め設定されている払い出し間隔を超えたと判断すると、入出力ポート６２を介してコイン受け皿用ライト５１を点灯させる信号をサブ制御基板７０に出力し、サブ制御基板７０からコイン受け皿用ライト５１の基板５１ａに電力を供給してＬＥＤ５１ｂを発光させる処理を行わせる。このとき、クレジット枚数表示部２６の表示は「０」となっている。
【０１１４】
そして、コイン受け皿用ライト５１を所定時間に亘って点灯した後、ＭＰＵ６１は、所定の検出信号、例えばスタートボタン３５の操作にかかる検出信号の入力を検出しない場合、入出力ポート６２を介してコイン受け皿用ライト５１の点灯を止める信号をサブ制御基板７０に出力し、サブ制御基板７０からコイン受け皿用ライト５１の基板５１ａへの電力を供給を止めてＬＥＤ５１ｂの発光を止める処理を行わせる。
【０１１５】
このように、コイン払出プログラムに基づきコインの払い出し後にコイン受け皿用ライト５１を点灯するようにしたが、コインの払い出し中にコイン受け皿用ライト５１を極めて短い間隔で点滅するようにし、払い出し終了後に所定時間点灯する処理を行っても良い。また、コインの払い出し中とコインの払い出し終了後で、ＬＥＤ５１ｂの明るさを変更する処理を行うようにしても良い。
【０１１６】
上記構成を有するスロットマシン１によれば、コイン受け皿４１は、コイン流出阻止壁部４４の右側壁部４６にコイン受け皿用ライト取付孔４８を開口形成し、コイン受け皿用ライト５１を取り付け固定する構成としたので、前面扉３の幅方向に広く延在するコイン受け皿４１の内部を照明することができる。これにより、コイン受け皿４１の内部のコインを容易に認識することができ、コインの取り忘れを防止することができる。
【０１１７】
また、コイン受け皿４１の内部では、コイン受け皿用ライト５１の発光体がレンズ５１ｃによって適度に分散することから、前面扉３の操作部３Ｂが手前側に突出していてもコイン受け皿４１の内部を簡易に認識することができる。従って、遊技の進行中において、コイン受け皿４１に貯留されたコインの量を簡易に把握することができる。
【０１１８】
そしてまた、コイン受け皿用ライト５１は、コイン流出阻止壁部４４の右側壁部４６に設けられているので、コイン払出口８から払い出されたコインとの接触頻度を少なくすることができる。これにより、コイン受け皿用ライト５１はコインによる損傷を受けることが少ないので、メンテナンスの回数を削減することができる。
【０１１９】
特に、コイン受け皿用ライト５１は、右側壁部４６からコイン受け皿４１の内側に突出しないように配置されることから、コイン受け皿４１内で貯留できるコインの容量に影響を与えることなくコイン受け皿４１の内部を照明することができる。
【０１２０】
そしてまた、コイン受け皿用ライト取付孔４８は、コイン流出阻止壁部４４の右側壁部４６の基端側から先端側に向かって切り欠き開口形成する構成としたので、コイン受け皿用ライト５１をスライドするだけで、コイン受け皿用ライト取付孔４８にコイン受け皿用ライト５１を取り付け固定し、そしてコイン受け皿用ライト取付孔４８から取り外すことができる。これにより、コイン受け皿用ライト５１を取り付ける作業性が確保されると共に、メンテナンスを容易に行うことができる。
【０１２１】
それから、コイン受け皿４１は、コイン受け皿取付板４２を間に介して前面扉３の貯留部３Ｃに取り付けられるので、コイン受け皿取付板４２によってコイン受け皿用ライト取付孔４８に配置されたコイン受け皿用ライト５１の脱落等を防ぐことができる。従って、コイン受け皿用ライト５１をコイン受け皿用ライト取付孔４８にスライドさせた状態で、コイン受け皿取付板４２に当接させ、コイン受け皿取付板４２の裏側からネジ止め等によってコイン受け皿４１を前面扉に取り付けることができるので、コイン受け皿用ライト５１の組み付けが容易に行われる。
【０１２２】
更に、コイン流出阻止壁部４４の右側壁部４６は、外壁面４６ａと内壁面４６ｂを有する二重構造とし、コイン受け皿用ライト取付孔４８を内壁面４６ｂに開口形成する構成としたので、コイン受け皿用ライト５１を外方側に露出しないようにすることができる。これにより、コイン受け皿４１の外観については、容易に設計変更を行うことができるので、市場の流行に迅速に対応することができる。
【０１２３】
特に、右側壁部４６の二重構造により、コイン受け皿４１の強度を確保することができるので、コイン受け皿４１に多量のコインを貯留することができる。また、二重構造の右側壁部４６と、コイン受け皿４１の前面扉３に対する取付強度を確保することができる。
【０１２４】
本発明は、上述の実施の形態に限定されるものではなく、本発明の趣旨を逸脱しない範囲で種々の変更が可能である。例えば、コイン受け皿用ライト取付孔４８は、コイン流出阻止壁部４４の右側壁部４６の基端側から先端側に向かって切り欠き開口形成する構成としたが、コイン受け皿用ライト５１を取り付け固定することができれば、右側壁部４６の任意の位置にコイン受け皿用ライト取付孔４８を単に開口形成する構成としても良い。
【０１２５】
また、コイン受け皿用ライト取付孔４８は、コイン流出阻止壁部４４の右側壁部４６に開口形成する構成としたが、左側壁部４５に開口形成するか、又は左右の側壁部４５、４６の両方に開口形成する構成とすることもできる。特に、左右の側壁部４５、４６にコイン受け皿用ライト取付孔４８を開口形成すれば、コイン受け皿４１の内部の照明効果を更に高めることができる。
【０１２６】
そして、コイン受け皿用ライト取付孔４８をコイン流出阻止壁部４４の左右の側壁部４５、４６に開口形成する構成に代えて、コイン流出阻止壁部４４の正面壁部４７に開口形成するようにしても良い。前面扉３の操作部３Ｂは手前側に向かって突設されていることから、コイン受け皿用ライト５１の光は、コイン受け皿取付板４２で反射してコイン受け皿４１の内部に適度に散乱し、所定の照明効果を確保することができる。
【０１２７】
（第２実施の形態）
図１０は、本発明の第２実施の形態を説明するコイン受け皿９１の斜視図である。
【０１２８】
コイン受け皿９１は、第１実施の形態におけるコイン受け皿取付板４２を間に介して前面扉３の貯留部３Ｃに取り付け固定する構成に代えて、コイン受け皿９１の奥側壁部９２を前面扉（図示せず）に直接取り付けるように構成されている。
【０１２９】
本実施の形態のコイン受け皿９１は、図１０に示すように、後述のコイン払出口９２ｂの下方位置で前面扉の幅方向に延在する底板部９３と、前面扉から手前側に向かって延在するように基端が前面扉に固定された左右一対の側壁部９５、９６と、左右の側壁部９５、９６の互いに対向する先端側の端部を連結し、コイン払出口９２ｂに対向配置される正面壁部９７と、左右の側壁部９５、９６の互いに対向する基端側の端部を連結し、コイン払出口９２ｂを設けた奥側壁部９２とを有している。
【０１３０】
奥側壁部９２の略中央位置には、第１実施の形態におけるコイン払出口８に対応するコイン払出口９２ｂが設けられている。コイン払出口９２ｂは、奥側壁部９２から更に奥側に向かって延在するように基端が固定された左右一対の誘導部９２ｃ、９２ｄと、左右の誘導部９２ｃ、９２ｄの奥側端部を連結する縦壁部９２ｅとによって構成されている。
【０１３１】
コイン払出口９２ｂの縦壁部９２ｅは、コイン払出口９２ｂの上辺部から垂下されて所定の距離だけ延出し、所定の距離に到達すると手前側に向かって曲折されて、下方に移行するに従って手前側に延出するスロープ部９２ｆを有している。従って、コイン排出用通路から払い出されたコインは、左右の誘導部９２ｃ、９２ｄ及び縦壁部９２ｅに沿って落下し、スロープ部９２ｆに当接してコイン受け皿９１の底板部９３に誘導される。或いは、コイン排出用通路から払い出されたコインは、左右の誘導部９２ｃ、９２ｄ及び縦壁部９２ｅに接触して跳ね返ることによりスロープ部９２ｆ上に案内され、コイン受け皿９１の底板部９３に到達する。
【０１３２】
そして、奥側壁部９２のコイン払出口９２ｂの右側には、コイン受け皿用ライト取付孔９２ｇが設けられている。コイン受け皿用ライト取付孔９２ｇは、奥側壁部９２の上辺部から下方に向かって切り欠くことによって開口形成されている。また、奥側壁部９２の裏面側には、コイン受け皿用ライト取付孔９２ｇに沿って左右両側にコイン受け皿用ライトを保持する保持手段９２ｈが設けられている。
【０１３３】
左右の保持手段９２は、奥側壁部９２の裏面側から奥側に向かって所定の距離だけ延出し、所定の距離に到達してから曲折して互いに接近する方向に延出することによって溝状に形成されている。従って、コイン受け皿用ライトをコイン受け皿用ライト取付孔９２ｇの上方から奥側壁部９２と左右の保持手段９２ｈの間に挿入し、下方に向かってスライドするだけでコイン受け皿用ライトをコイン受け皿用ライト取付孔９２ｇに容易に取り付けることができる。また、コイン受け皿用ライトを取り付けた後は、左右の保持手段９２によってコイン受け皿用ライトをコイン受け皿用ライト取付孔９２ｇから脱離しないように保持することができる。
【０１３４】
また、本実施の形態のコイン受け皿用ライトにおいて、第１実施の形態のコイン受け皿用ライト５１のレンズ５１ｃに対応して比較的厚みを持って形成された本体部５１ｄと、本体部５１ｄより厚みを持って形成されていない挿入部５１ｅと同様の構成を有するレンズを備える場合、コイン受け皿用ライト取付孔９２ｇの下辺部にレンズの厚み部分が当接するので、下方への脱離を防ぐことができる。
【０１３５】
そしてまた、前面扉は、少なくともコイン受け皿９１の奥側壁部９２より手前側まで突出しているので、コイン受け皿用ライト取付孔９２ｇ内のコイン受け皿用ライトの上方への抜け止めとなり、上方への脱離を防ぐことができる。
【０１３６】
なお、特に図示しないが、コイン受け皿用ライトのレンズの構成が、上述の構成と異なり、ほぼ同一の厚みを持って形成されて、コイン受け皿用ライト取付孔９２ｇの下辺部に当接しないような構成を有している場合、奥側壁部９２の裏面側コイン受け皿用ライト取付孔９２ｇの下辺部に沿ってコイン受け皿用ライトのストッパを設けて、上方から挿入されたコイン受け皿用ライトの脱離を図ることも可能である。また、ストッパを設けることなく、ネジ止め等によってコイン受け皿用ライトを固定することも可能である。
【図面の簡単な説明】
【０１３７】
【図１】第１実施の形態におけるスロットマシン１の前面扉３が閉じた状態を示す斜視図である。
【図２】同じくスロットマシン１の前面扉３を開いた状態を示す斜視図である。
【図３】同じくコイン受け皿４１を前面扉３から取り外したスロットマシン１の斜視図である。
【図４】同じくコイン受け皿４１の斜視図である。
【図５】同じくコイン受け皿４１の背面図である。
【図６】同じくコイン受け皿４１の要部拡大図である。
【図７】同じくコイン受け皿４１の正面側の分解図である。
【図８】同じくコイン受け皿４１の背面側の分解図である。
【図９】同じくスロットマシン１の電気的構成を説明するブロック図である。
【図１０】第２実施の形態におけるコイン受け皿９１の斜視図である。
【図１１】従来技術を説明する図である。
【符号の説明】
【０１３８】
１        スロットマシン（遊技機）
２        筐体
３        前面扉
３Ｃ      貯留部
４        本体
６        補強部材
７        コイン排出用通路
８        コイン払出口
１４      ホッパ
１４ｂ    支払装置
２２      スピーカ
３４      クレジット投入ボタン
４１、９１    コイン受け皿（コイン貯留部）
４２      コイン受け皿取付板
４２ａ    コイン出口
４３、９３    底板部
４４      コイン流出阻止壁部
４５、９５      左側壁部
４６、９６      右側壁部
４６ａ    外壁面
４６ｂ    内壁面
４６ｃ    前壁面
４６ｄ    リブ
４６ｅ    横リブ
４６ｆ    縦リブ
４６ｈ    保持レール
４６ｊ    保持板
４７、９７  正面壁部
４８      コイン受け皿用ライト取付孔（照明手段取付孔）
４９      コイン取り出し口
５１      コイン受け皿用ライト（照明手段）
５１ａ    基板
５１ｂ    ＬＥＤ（発光体）
５１ｃ    レンズ（光透過部）
６０      メイン制御基板
６ａ、４２ｂ、４６ｇ  コイン受け皿取付孔
９２    奥側壁部
【図１】
2006288811.tif 000003
【図２】
2006288811.tif 000004
【図３】
2006288811.tif 000005
【図４】
2006288811.tif 000006
【図５】
2006288811.tif 000007
【図６】
2006288811.tif 000008
【図７】
2006288811.tif 000009
【図８】
2006288811.tif 000010
【図９】
2006288811.tif 000011
【図１０】
2006288811.tif 000012
【図１１】
2006288811.tif 000013